(57)【要約】【課題】設置されていることが確認し難く、しかも、設置空間の美観を損ねる虞も少ない警備装置を提供する。【解決手段】侵入者の有無を監視する監視手段、及び、該監視手段により侵入者の存在が確認されると対抗措置を行う対抗措置実行手段、を有する装置本体３０と、該装置本体３０の略全体を隠蔽すると共に家具として機能する外装体２０とを備える。また、侵入者の有無を監視する監視手段、及び、該監視手段により侵入者の存在が確認されると対抗措置を行う対抗措置実行手段、を有する装置本体３０と、該装置本体３０の略全体を隠蔽すると共に建造物の構成部材として機能する外装体２０とを備える。【選択図】        図１
2004318573.tif 000002
【特許請求の範囲】
【請求項１】
侵入者の有無を監視する監視手段、及び、該監視手段により侵入者の存在が確認されると対抗措置を行う対抗措置実行手段、を有する装置本体と、
該装置本体の略全体を隠蔽すると共に家具として機能する外装体と
を備えることを特徴とする警備装置。
【請求項２】
作動電源として、乾電池またはバッテリを備えることを特徴とする請求項１に記載の警備装置。
【請求項３】
侵入者の有無を監視する監視手段、及び、該監視手段により侵入者の存在が確認されると対抗措置を行う対抗措置実行手段、を有する装置本体と、
該装置本体の略全体を隠蔽すると共に建造物の構成部材として機能する外装体と
を備えることを特徴とする警備装置。
【請求項４】
前記装置本体は、建造物の内部に引き回された電気配線に接続され、該電気配線から作動電源を得るものであることを特徴とする請求項３に記載の警備装置。
【請求項５】
前記監視手段は、監視カメラを用いて構成されていること特徴とする請求項１から請求項４までのいずれか一つに記載の警備装置。
【発明の詳細な説明】
【０００１】
【発明の属する技術分野】
本発明は、侵入者の有無を監視するために住宅やオフィス等に設置される警備装置に関する。
【０００２】
【従来の技術】
住宅やオフィス等に設置される警備装置としては、監視カメラ、赤外線センサ等の種々の機器を用いてなる監視手段を備えたものがある。このような警備装置は、住宅内やオフィス内等における侵入者の有無を監視手段によって監視して、監視手段により侵入者の存在が確認されると、警報機や通報装置等の種々の機器を用いてなる対抗措置手段によって、「警報を鳴らす」、「警備会社や守衛等の管理者へと通報する」等の対抗措置を行うものである。
【０００３】
以上の従来技術は、一般的な事項であり、本出願人は、出願時において、この従来技術を特定する文献を特に知見していない。
【０００４】
【発明が解決しようとする課題】
しかしながら、従来の警備装置は、監視手段及び対抗措置実行手段を有する装置本体がそのまま露呈する状態で、室内や屋外等の適宜の箇所に設置されるものであり、侵入者にとって、設置されていることが容易に確認できるものであった。このように、侵入者にとって、警備装置の設置が容易に確認できると、警備装置を破壊して犯罪を行ったり、警備装置による監視の死角となる領域で犯罪を行ったりすることが容易くなり、警備装置によって警備を万全に行うことが困難となってしまう。
【０００５】
また、従来の警備装置では、厳つい装置本体が露呈することで、警備装置周辺のデザインの調和を乱してしまうこともあり、設置空間の美観を損ねる虞のあるものでもあった。
【０００６】
本発明は、上記実状を鑑みてなされたものであり、設置されていることが確認し難く、しかも、設置空間の美観を損ねる虞も少ない警備装置の提供を課題とする。
【０００７】
【課題を解決するための手段】
以上の課題を解決するために本発明の採った主要な手段は、
「侵入者の有無を監視する監視手段、及び、該監視手段により侵入者の存在が確認されると対抗措置を行う対抗措置実行手段、を有する装置本体と、
該装置本体の略全体を隠蔽すると共に家具として機能する外装体と
を備えることを特徴とする警備装置」
である。
【０００８】
ここで、監視手段としては、侵入者の有無を監視できるものであればよく、例えば、物体の有無を感知する赤外線センサや焦電センサ等の種々のセンサを用いて構成したり、物体を撮像するＣＣＤカメラなどの監視カメラを用いて構成すればよい。また、対抗措置実行手段としては、侵入者に対して適宜の対抗措置を行うことができるものであればよく、例えば、警報を鳴らしたり侵入者へ警告メッセージを出力する警報機やスピーカ等の音出力装置を用いて構成したり、警備会社や守衛等の警備の管理者に、電話回線、専用の通信ネットワーク、汎用の通信ネットワーク等を介して、有線や無線により、侵入者の存在を通報する通報装置を用いて構成すればよい。
【０００９】
さらに、警備装置が、監視手段や対抗措置実行手段を構成する電子部品や機械部品等の種々の機器を収容するケーシングを有するものである場合、ケーシングを装置本体として、このケーシングを、家具として機能する外装体に内蔵してもよく、或は、ケーシングに非収容状態の上記種々の機器全体を装置本体とし、この装置本体を収容するケーシング全体を、家具として機能する外装体としてもよい。
【００１０】
この警備装置では、装置本体の略全体が、家具として機能する外装体によって隠蔽されるため、装置本体が大きく露呈せず、設置された状態では、一見すると、家具が単に置かれているだけであるかのように認識される。よって、侵入者にとって、設置されていることが確認し難い警備装置とすることができる。また、外装体は、家具として機能するため、設置された状態で、周辺のデザインに馴染み易く、設置空間の美観を損ね難い警備装置とすることができる。
【００１１】
なお、外装体は、家具として機能するものであればよく、家具としては、「金庫」、「タンス」、「ソファー」、「ベッド」、「テーブル」、「椅子」、「机」、「ドレッサー」、「洗面台」、「食器棚」、「本棚」、「その他の各種の棚」等を例示することができる。
【００１２】
上記警備装置を、
「作動電源として、乾電池またはバッテリを備えることを特徴とする警備装置」
としてもよい。
【００１３】
作動電源として、１００Ｖのコンセントなどの家庭用電源を用いることとすると、家具として機能する警備装置を自由な部位に配置しようとしても、電源の確保が困難となり、必然的に、配置自由度に制約が生じる。
【００１４】
これに対して、作動電源として、乾電池またはバッテリを用いることとすれば、別途に電源を確保する必要がないことから、配置自由度に制約を受けず、家具として機能する警備装置を、設置空間の美観を良好に確保できるように、自由な部位に配置することができる。
【００１５】
また、外装体として、洗面台等の水周りに設置される家具として機能するものを採用した場合には、水が掛かる可能性があり、作動電源として１００Ｖのコンセントなどの家庭用電源を用いると、漏電により大きな事故を起こす虞がある。これに対して、作動電源として、乾電池またはバッテリを用いることとすれば、漏電による大きな事故を生じ難く、好適である。
【００１６】
本発明の採った別の主要な手段は、
「侵入者の有無を監視する監視手段、及び、該監視手段により侵入者の存在が確認されると対抗措置を行う対抗措置実行手段、を有する装置本体と、
該装置本体の略全体を隠蔽すると共に建造物の構成部材として機能する外装体と
を備えることを特徴とする警備装置」
である。
【００１７】
ここで、監視手段、及び、対抗措置実行手段については、上述の警備装置における各構成と同様である。また、警備装置が、監視手段や対抗措置実行手段を構成する各種機器を収容するケーシングを有するものである場合には、ケーシングを装置本体として、このケーシングを、建造物の構成部材として機能する外装体に内蔵してもよく、或は、ケーシングに非収容状態の上記各種機器全体を装置本体とし、この装置本体を収容するケーシング全体を、建造物の構成部材として機能する外装体としてもよい。
【００１８】
この警備装置では、装置本体の略全体が、建造物の構成部材として機能する外装体によって隠蔽されるため、装置本体が大きく露呈せず、設置された状態でも、一見、何らの装置も配置されていないかのように認識される。よって、侵入者にとって、設置されていることが確認し難い警備装置とすることができる。また、外装体は、建造物の構成部材として機能するため、警備装置が設置された状態では、周辺のデザインを全く乱すことがなく、設置空間の美観を損ね難い警備装置とすることができる。
【００１９】
なお、外装体は、建造物の構成部材として機能するものであればよく、建造物の構成部材としては、「扉、襖、障子、シャッター等の建具」、「畳、絨毯、フローリング材等の床材」、「壁面パネル、塗り壁等の壁材」、「柱、鴨居、敷居等の躯体材」、「天井材」、「窓枠、サッシ、ブラインド、カーテン等の窓材」、「門、門柱、柵、塀等の外構材」等を例示することができる。
【００２０】
上記警備装置を、
「前記装置本体は、建造物の内部に引き回された電気配線に接続され、該電気配線から作動電源を得るものであることを特徴とする警備装置」
としてもよい。
【００２１】
建造物では、そもそも、その内部に電気配線が引き回されている。この警備装置では、この建造物の内部に引き回されている電気配線に装置本体を接続することで、建造物内部の電気配線から、直接的に作動電源を確保する。これにより、建造物の外面に、警備装置の作動電源を確保するための配線が露呈せず、警備装置の周辺の美観を向上させることができる。
【００２２】
上記各警備装置のいずれかを、
「前記監視手段は、監視カメラを用いて構成されていること特徴とする警備装置」
としてもよい。
【００２３】
監視手段を、物体の有無を感知する赤外線センサや焦電センサ等の種々の機器を用いて構成してもよいが、このような態様では、監視手段が、カーテンや洗濯物の動き、地震や工事の振動による種々の物品の動き、ネズミやゴキブリ等の小動物、犬や猫等のペットを飼っている場合には、このペット等によって物体の存在を感知してしまうため、誤作動を生じ易くなる。
【００２４】
これに対して、監視手段を、監視カメラを用いて構成すると、監視カメラにて撮像した画像を適宜の画像処理にて処理することで、変化のあった物体の形状や動き等からその物体が人間であるか否かを的確に判別することができる。よって、侵入者の有無を良好に監視するとことができ、誤作動の生じ難い警備装置とすることができる。
【００２５】
また、監視手段を、物体の有無を感知する赤外線センサや焦電センサ等の種々のセンサを用いて構成すると、ネズミやゴキブリ等の小動物による誤作動を防止するために、装置本体を、室内等の設置空間の下方に位置させることができず、外装体として採用する家具の配置自由度に制約が生じたり、外装体として採用する建造物の構成部材の種類の選択自由度に制約が生じる。しかしながら、監視手段を、監視カメラを用いて構成すると、小動物による誤作動が生じ難くなることから、装置本体の十分な配置自由度を得ることができる。よって、外装体として採用する家具の配置自由度を向上させたり、外装体として採用する建造物の構成部材の種類の選択自由度を向上させることができる。
【００２６】
【発明の実施の形態】
本発明に係る警備装置の実施形態を、図面に基づいて、詳細に説明する。
【００２７】
図１に示すように、本例の警備装置１０は、装置本体３０と、この装置本体３０の略全体を隠蔽する外装体２０とを備える。ここで、装置本体３０は、詳細は後述するが、侵入者の有無を監視する監視手段や、監視手段によって侵入者の存在が確認されると、適宜の対抗措置を行う対抗措置実行手段を構成する電子部品や機械部品等の種々の機器をケーシング（図示省略）に収容してなるものであり、ケーシングごと、外装体２０に内蔵されて略全体が隠蔽されている。なお、本例では、詳細は後述するが、監視手段として監視カメラを有するものを採用しており、監視カメラのレンズ部分が露呈されるようにして、外装体２０によって装置本体３０の略全体が隠蔽されているが、一見では、装置本体３０を認識するができず、単に、外装体２０が配置されているだけのように見える。
【００２８】
一方、外装体２０は、家具として機能する金庫から構成されており、この金庫の扉２１ａに、装置本体３０が、ケーシングごと、内蔵されている。なお、金庫本体２１ｂに装置本体３０を内蔵することもできる。また、装置本体３０のケーシングは、防水構造となっており、キッチンや洗面所等の水周りに配置しても、水により、装置本体３０内の機器に影響を与えない。また、本例の警備装置１０は、作動電源として、乾電池またはバッテリ（図示省略）を採用しており、例え、水によって漏電が生じたとしても、大きな事故には至らない。
【００２９】
ところで、外装体２０としては、上述のような金庫に限らず、タンスやソファー等の種々の家具として機能するものであってもよい。
【００３０】
例えば、図２に示す警備装置１０では、外装体２０が、タンス本体２２ａと、引出２２ｂとを有するタンスとして構成されており、タンス本体２２ａに装置本体３０が内蔵されている。なお、適宜の引出２２ｂに装置本体３０を内蔵することも可能である。
【００３１】
また、図３に示す警備装置１０では、外装体２０が、肘掛け２３ａと、背もたれ２３ｂと、座２３ｃとを有するソファーから構成されており、肘掛け２３ａに装置本体３０が内蔵されている。なお、背もたれ２３ｂや座２３ｃに装置本体３０を内蔵することも可能である。
【００３２】
さらに、外装体２０としては、上述のような家具に限らず、建造物の構成部材として機能するものであってもよい。
【００３３】
例えば、図４に示す警備装置１０では、外装体２０が、窓枠２４ａと、窓本体２４ｂとを有する窓材として構成されており、窓枠２４ａに装置本体３０が内蔵されている。なお、窓本体２４ｂに装置本体３０を内蔵することも可能である。
【００３４】
また、図５に示す警備装置１０では、外装体２０が、一対の柱２５ｃ（一方は図示省略）間に渡って天井２５ｂから垂設された壁面２５ａ（具体的には垂れ壁）として構成されており、この壁面２５ａを構成する壁面材に装置本体３０が内蔵されている。なお、天井２５ｂを構成する天井材や柱２５ｃを構成する柱材２５ｃに装置本体３０を内蔵することも可能である。
【００３５】
また、図６に示す警備装置１０では、外装体２０が、畳本体２６ａと、畳縁２６ｂとを有する畳として構成されており、畳本体２６ａにおける畳表が露呈する部位に装置本体３０が内蔵されている。なお、畳縁２６ｂに対応する部位に装置本体３０を内蔵することも可能である。
【００３６】
さらに、図示は省略するが、ドア、門、門柱等の建造物の構成部材として機能する外装体に装置本体を内蔵してなる警備装置としてもよい。ここで、ドアや門を外装体として、この外装体に装置本体を内蔵する場合、ドアや門の鍵穴の奥側に監視カメラが位置するように内蔵すると、監視カメラのレンズが目立ち難く、設置がより一層、認識し難い警備装置とすることができる。
【００３７】
このように、建造物の構成部材として機能する警備装置では、乾電池やバッテリを作動電源としてもよいが、建造物の内部に引き回されている電気配線に接続し、この電気配線から電源を直接的に得ることとすると、建造物の外部に配線を引き回す必要がないことから、周辺の美観を良好に確保することができ、好適である。
【００３８】
外装体２０は、家具や建造物の構成部材として機能するものであればよいが、警備装置１０が、監視手段３４として監視カメラを有するものを採用する場合には、室内の隅部や壁際等に配置される家具、或は、建造物の壁面、天井、床等を構成する構成部材となるものが好適である。何故ならば、監視カメラによって、室内の広範囲を監視することができるからである。また、監視カメラでは、監視方向に指向性があるため、監視方向が明確となるように、外装体２０に、例えば矢印を付す等、監視方向の印を付すのが好適である。なお、監視カメラとしても、広範囲の監視が可能なように、５０ｍｍ以下、３５ｍｍ以下、好ましくは２５ｍｍ以下、さらに好ましくは１８ｍｍ以下の広角レンズを採用したもの、特に、魚眼レンズを採用したものが好適である。
【００３９】
このように構成された警備装置１０は、例えば、図７に示すように、警備の対象となる住宅やオフィス等に配置され、通信ネットワーク５０を介して、携帯電話、ノートパソコン、或は、専用のリモコン等、ユーザーが携帯する通信装置６０や、警備会社等の管理者７０（より具体的には、管理者７０のサーバー等の警備管理用コンピュータ）等に、警備の情報を送受信する。ここで、警備装置１０と、通信装置６０や管理者７０等との間の通信方式は、インターネット等の広域ネットワークである通信ネットワーク５０を介するパケット通信方式を採用している。このパケット通信方式は、データを小さなまとまりに分割して、分割したデータを一つ一つ送受信する通信方式であり、２地点間の通信において、途中の回線が他の通信データによって占有されることがないため、通信情報を確実に送受信することができる。
【００４０】
次に、図８に基づいて、警備装置１０の装置本体３０を詳細に説明する。なお、本例では、監視手段３４として、ＣＣＤカメラ等からなる監視カメラを有してなり、撮像された画像を処理することで、侵入者の有無を監視するものを例示するが、これに限らず、赤外線センサや焦電センサ等の物体の有無を感知するセンサを採用して、物体の有無により侵入者の有無を監視するものであってもよい。
【００４１】
装置本体３０は、通信ネットワーク５０に有線または無線によって接続される通信制御手段３１と、監視カメラを有する監視手段３４とを備えている。ここで、通信制御手段３１は、通信ネットワーク５０を介して、ユーザーの通信装置６０や、管理者７０等の外部からの情報を受信する受信手段３２と、ユーザーの通信装置６０や、管理者７０等の外部へと情報を送信する送信手段３３とを備えてなるものであり、これら受信手段３２及び送信手段３３は、夫々、監視手段３４に接続されている。また、装置本体３０は、警報や警告メッセージを出力する警報機やスピーカを有してなる警報出力手段３５を備えており、この警報出力手段３５は、監視手段３４に接続されている。
【００４２】
監視手段３４では、監視カメラによって撮像された画像が、監視手段３４に設けられたコンピュータ等による適宜の画像処理によって、自動的に解析され、侵入者が存在する場合には、これが自動的に検出される。ここで、画像処理では、監視中に変動のあった物体（以下「移動物」と称す）が人間であるか否かを判別し、人間である場合には、侵入者が存在するとして判定する。この画像処理としては、以下のような処理を例示できる。
【００４３】
（１）監視カメラによって撮像された移動物の動画データを基に、移動物の輪郭形状に対応する形状データを作成し、この形状データを基に、移動物が人間であるか否かを判別する処理。
【００４４】
（２）監視カメラによって撮像された移動物の動画データを、所定時間間隔のフレーム画像に分離し、順に分離された２つのフレーム画像を比較して画像の変化を、画素毎、または、フレーム画像を予め分割してなる小領域毎、に判定し、判定結果を基に、フレーム画像を数値列データに変換し、この数値列データを基に、移動物の輪郭形状に対応する形状データを作成し、この形状データを基に、移動物が人間であるか否かを判別する処理。
【００４５】
ここで、人間と、犬や猫等のペットに代表される４足歩行動物とでは、「輪郭の長手方向が異なる（人間は縦長であり、４足歩行動物は横長）」、「脚などの関節の成り立ちが異なる（人間の脚は、く字状に屈曲し、４足歩行動物の後ろ足は、逆く字状に屈曲する）」、「胴部に対する頭部の位置が異なる（人間では胴部の上方に頭部が位置し、４足歩行動物では胴部の側方または斜め上方に頭部が位置する）」、「頭部に対する肩幅が異なる（人間では頭部に対して肩幅が広く、４足歩行動物では頭部に対して肩幅が狭い）」、「尻部における尻尾の有無が異なる」等、種々の点で、輪郭形状に大きな差異がある。よって、これらの内、適宜項目にて判定を行い、移動物が人間であるか否かを判定すればよい。
【００４６】
監視手段３４によって、侵入者の存在が確認されると、警報出力手段３５を作動させて、侵入者を威嚇する。これを受けた侵入者が直ちに逃走すれば、侵入者による窃盗や器物破損の被害が生じることを、未然に防止できる。
【００４７】
また、監視手段３４は、侵入者を確認した旨の情報を、送信手段３３から通信ネットワーク５０を介して、ユーザーの通信装置６０や、警備会社等の管理者７０に送信する。これにより、侵入者が未だ居るのにも拘わらず、これを知らないユーザーが帰宅して、侵入者と鉢合わせとなることを防止したり、警備会社などから警備員が出向いて侵入者を迅速に排除して、ユーザーの安全を確保する。
【００４８】
以上のような、警報出力手段３５を作動させたり、侵入者を確認した旨の情報を送信手段３３から送信することは、侵入者の存在を確認して行われる対抗措置であり、本例では、警報出力手段３５、及び、送信手段３３によって対抗措置実行手段が構成される。
【００４９】
ところで、本例の警備装置では、以下のような種々の変更が可能である。
【００５０】
（１）ユーザーの通信装置６０から送信された警報出力指令を受信すると、警報出力手段３５を作動させる警報作動手段を設ける。このような仕様とすることで、ユーザーは、通信装置６０から警報出力指令を送信して、帰宅前に予め、警備装置１０から警報を出力させておくことができる。万が一、侵入者が居たとしても、この警報を受けて侵入者は逃走するため、ユーザーの帰宅時の安全を確保することができる。
【００５１】
（２）警備装置１０から通報がなされる通報先を、ユーザーによって、任意に設定可能な通報先設定手段を設ける。このような仕様とすることで、両親、恋人、隣近所の者等、通報したい相手を、ユーザーが任意に設定できることから、利便性が向上する。特に、侵入者があった場合に隣近所の者に通報がなされることとすると、周辺に犯罪者が居ることが隣近所の者に自動的に連絡されることになるので、隣近所の者達の安全面を考慮する上で、好適である。
【００５２】
また、警備会社等の管理者７０側のサーバー、プロバイダーのサーバー、警備情報の集中管理を行うサービス会社のサーバー等、通信ネットワーク５０上の適宜のサーバーにＷｅｂサイトを設け、このＷｅｂサイトを介して、ユーザーが、警備装置１０のＯＮ・ＯＦＦや作動態様の変更に関する操作を行うことができるようにしたり、通報先の追加や変更を行うことができるようにしたり、警備装置１０による現状の監視状況の映像情報を入手できるようにしたりすると、利便性が向上する。
【００５３】
【発明の効果】
以上、詳細に説明した本発明によれば、設置されていることが確認し難く、しかも、設置空間の美観を損ねる虞も少ない警備装置を提供することができる。
【図面の簡単な説明】
【図１】本発明に係る警備装置の一例を示す正面図である。
【図２】本発明に係る警備装置の別の例を示す正面図である。
【図３】本発明に係る警備装置の別の例を示す斜視図である。
【図４】本発明に係る別の警備装置の一例を示す正面図である。
【図５】本発明に係る警備装置の別の例を示す斜視図である。
【図６】本発明に係る警備装置の別の例を示す斜視図である。
【図７】警備装置の使用状態を示す概略図である。
【図８】装置本体を示すブロック図である。
【符号の説明】
１０    警備装置
２０    外装体
３０    装置本体
３１    通信制御手段
３２    受信手段
３３    送信手段（対抗措置実行手段）
３４    監視手段
３５    警報出力手段（対抗措置実行手段）
【図１】
2004318573.tif 000003
【図２】
2004318573.tif 000004
【図３】
2004318573.tif 000005
【図４】
2004318573.tif 000006
【図５】
2004318573.tif 000007
【図６】
2004318573.tif 000008
【図７】
2004318573.tif 000009
【図８】
2004318573.tif 000010